(57)【要約】【課題】開封の痕跡が明瞭に残り不正開封を見逃すことがない不正開封防止機構を備えた包装容器を提供することである。【解決手段】正面板、左右の側面板、背面板、下面板および上面板を備えた包装容器において、不正開封防止機構として開封時に切断板が破断される第２予定破断線および／あるいは切断板と連接している正面板、上面板、左右の側面板に連続したズレ検出用画像を有する不正開封防止機構を備えた包装容器による。【選択図】図１
2016101979.tif 000002
【特許請求の範囲】
【請求項１】
正面板、左右の側面板、背面板、下面板および上面板を備え、正面板、左右側面板あるいは上面板のいずれかと連接した切断板があり、その連接した部分に第１予定破断線が形成され、開封時に第１予定破断線が破断し切断板が連接している正面板、左右側面板あるいは上面板と分離する包装容器において、不正開封防止機構として第１予定破断線近傍に第２予定破断線および／あるいは切断板とその切断板が連接している正面板、上面板、左右側面板との境界をまたいで連続的に形成されたズレ検出用画像を有することを特徴とする不正開封防止包装容器。
【請求項２】
不正開封防止機構として第２予定破断線を有することを特徴とする請求項１記載の不正開封防止包装容器。
【請求項３】
不正開封防止機構としてズレ検出用画像を有することを特徴とする請求項１記載の不正開封防止包装容器。
【請求項４】
切断板が正面板あるいは上面板に連接していることを特徴とする請求項１記載の不正開封防止包装容器。
【請求項５】
切断板が正面板に連接していることを特徴とする請求項１記載の不正開封防止包装容器。
【請求項６】
第１予定破断線に接して開口部が形成されていることを特徴とする請求項１記載の不正開封防止包装容器。
【請求項７】
第２予定破断線の少なくとも１か所が第１予定破断線に連接していることを特徴とする請求項１記載の不正開封防止包装容器。
【発明の詳細な説明】
【技術分野】
【０００１】  本発明は収容した商品が移送、展示中に抜き取り、すり替えが行われないようにし、もしこのようなことが行われた場合には、直ちにそれが判明するようにした不正開封防止包装容器に関する。
【背景技術】
【０００２】  医薬品、食品の包装の分野においては商品が移送、展示中に抜き取り、すり替えが行われる被害が多発している。特に海外では医薬品のすり替えは大きな問題である。医薬品の包装容器は不正に開封されることを防止するために、開封部分を覆う形で封緘テープを貼付し、封緘テープを破らない限り医薬品を取り出せないようにし、封緘テープが破られているあるいは剥がされていれば包装容器が開封されたと判断できるような工夫がされている。しかしこの方式は封緘テープを貼る工程が増え、さらに封緘テープ材料費が必要なためコストが上がる問題がある。また使用者が封緘テープを剥がすのに手間が掛かる、特に高齢者の場合は手指の力が十分でなく、視力も低下しているため封緘テープが貼付された包装容器を開封することが困難であると言った問題がある。高齢者が増加しているため特に医薬品の包装容器において封緘テープの弊害は大きな問題になっている。また緊急時には迅速に開封できず救急活動の差し障りになるという問題もある。しかも封緘テープを剥がし開封した後に、再び封緘テープを貼付し未開封状態を装うことができるため、開封の痕跡を明瞭に残すことができず不正開封を容易に発見できない問題がある。
これらの問題を解決するため、ジッパーを設け開封時に包装容器の一部を切り取る技術が提案されている（特許文献１）。しかし、開封時にジッパーを破るという余分な動作が必要で緊急時の対応に遅れが生じる問題、またジッパーを破ると言う開封動作が通常の包装容器の開封動作と大きく異るため勘違いし時間がかかる問題、また個装箱自体に加えジッパーで破断される大きな廃棄物が発生して廃棄が面倒であるという問題がある。特に薬剤師へのアンケート調査によると、ジッパーはこの廃棄物が増え、廃棄が面倒である点で極めて不評であり使用をやめて欲しいとの要望が多い問題がある。
【先行技術文献】
【特許文献】
【０００３】
【特許文献１】  特開２００５−９６８５７号
【発明の概要】
【発明が解決しようとする課題】
【０００４】  封緘テープ等を貼付するためのコストの増加を要せず、封緘テープを剥がす手間が不要で高齢者にとっても容易に開封可能で、開封が容易なため緊急時の対応にも差し障りがなく、開封方法が単純で勘違いの余地がなく、廃棄物の廃棄が面倒でなく、かつ開封の痕跡が明瞭に残り不正開封を見逃すことがない包装容器を提供することである。包装容器に収容された商品が輸送中、展示中に抜き取られたり、すり替えられたりすることを防止し、もし不正に開封されたとき直ちに開封されたことが分かる不正開封防止機構を有する包装容器を提供することである。
【課題を解決するための手段】
【０００５】  本発明は、
（１）正面板、左右の側面板、背面板、下面板および上面板を備え、正面板、左右側面板あるいは上面板のいずれかと連接した切断板があり、その連接した部分に第１予定破断線が形成され、開封時に第１予定破断線が破断し切断板が連接している正面板、左右側面板あるいは上面板と分離する包装容器において、不正開封防止機構として第１予定破断線近傍に第２予定破断線および／あるいは切断板とその切断板が連接している正面板、上面板、左右側面板との境界をまたいで連続的に形成されたズレ検出用画像を有することを特徴とする不正開封防止包装容器。
（２）不正開封防止機構として第２予定破断線を有することを特徴とする（１）項記載の不正開封防止包装容器。
（３）不正開封防止機構としてズレ検出用画像を有することを特徴とする（１）項記載の不正開封防止包装容器。
（４）切断板が正面板あるいは上面板に連接していることを特徴とする（１）項記載の不正開封防止包装容器。
（５）切断板が正面板に連接していることを特徴とする（１）項記載の不正開封防止包装容器。
（６）第１予定破断線に接して開口部が形成されていることを特徴とする（１）項記載の不正開封防止包装容器。
（７）第２予定破断線の少なくとも１か所が第１予定破断線に連接していることを特徴とする（１）項記載の不正開封防止包装容器。
である。【０００６】  本発明の包装容器とは医薬品等の商品を内部に保管し、緩衝作用があり商品の保護をする容器である。一枚のブランク板を折りたたむことで形成される包装容器が好ましい。包装容器は正面板、左右の側面板、背面板、下面板および上面板を備え、正面板、左右側面板あるいは上面板のいずれかと連接した切断板があり、その連接した部分に第１予定破断線が形成され、開封時に第１予定破断線が破断し切断板が連接している正面板、左右側面板あるいは上面板と分離する包装容器である。板紙等を所定の展開図の形状に打ち抜き、折り目の罫線を施し、折り目部分で各部を折りたたみさらに必要ならば接着剤で接着させて作成される。包装容器の形状に特に制限はないが、折り畳んだ状態から内部の下面板を押し広げることで、立体的な包装容器を組み立て内部に商品を挿入した後に蓋をして封緘する方式が好ましい。
包装容器の材質に特に制限はなく板紙、段ボールを用いることができ、板紙がより好ましい。板紙としてはノーコートボール、コートボール、マニラボール、黄色板紙、色板紙を用いることができるがノーコートボール、コートボールがより好ましく、コートボールが強度が高く、印刷適正に優れている点で最も好ましい。紙の厚さは坪量で１５０〜７５０ｇ／ｍ２が好ましく、２００〜７００ｇ／ｍ２がより好ましく、２３０〜６８０ｇ／ｍ２が最も好ましい。紙の厚みが薄いと強度が不足し収納された商品を十分に緩衝作用で保護できないため好ましくない。また厚すぎると包装容器への加工が困難になるため好ましくない。【０００７】  封緘の方式は特に制限はないが差込片を案内スリットに差込む方式を用いることが好ましい。差込片は左右に切込み溝を有し、かつ差込片の最大幅が案内スリットの最大幅より大きいため、差し込まれた差込片が容易に抜けず確実に封緘される構造が好ましい。切込み溝の部分の差込片の幅は差込片の最大幅より小さくその差は２〜１０ｍｍが好ましく、３〜８ｍｍがより好ましく、４〜７ｍｍが最も好ましい。この差が小さいと差込片が容易に案内スリットから抜け出すため好ましくなく、大きすぎると差込片の強度が不足するため好ましくない。差込片は切断板に接続し切断板を介して正面板、上面板、左右の側面板のいずれかに連接する。差込片が接続した切断板が正面板あるいは左右の側面板に連接している場合は案内スリットが上面板に形成され、差込片が接続した切断板が上面板に連接している場合は案内スリットが正面板あるいは左右の側面板のいずれか一つに形成される。差込片は正面板あるいは上面板に切断板を介して連接することが、開封動作に人間工学の観点から不自然さがないのでより好ましい。また同じ観点および封緘の強度が高くなることから正面板に切断板を介して連接されることが最も好ましい。最も好ましい形態は差込片が切断板を介し正面板に連接し、案内スリットが上面板に形成され、差込片が案内スリットに差し込まれて封緘される包装容器である。差込片が切断板を介し正面板に連接し、案内スリットが上面板に設けられた包装容器は、差込片が上面板に平行に位置するため、差込片を差し込んだまま上面板を持ち上げることが困難であり、輸送中、展示中等に上面板を持ち上げ隙間から収納された商品を取り出そうとする不正行為を防止でき好ましい。切断板は予定破断線あるいは切り込みを用いて正面板、上面板、左右の側面板のいずれかの一部から切り離され、少なくとも１か所は予定破断線で正面板、上面板、左右の側面板のいずれかに連接していることが好ましい。【０００８】  予定破断線とは貫通あるいは貫通に近い形の孔と、非貫通の部分が交互に並んだものを示す。予定破断線の破断の機構に制限はないがジッパー、破断用のミシン目、リード罫を用いることが好ましい。第１予定破断線とは開封動作により切断板が連接している正面板、上面板、あるいは左右の側面板から破断される部分である。切断板の周囲全てに設けても良く、切断板の一部に設けても良い。【０００９】  不正開封防止包装容器とは、包装容器を一旦開封すると明瞭な開封の痕跡が残り、開封済みであることが容易に分かる開封防止不正機構を有する包装容器を示す。開封防止不正機構を設けることにより包装容器を開封した後に、開封動作で変化した差込片、切断板等を開封前の状態に戻しあたかも未開封であるかのように装う不正行為を防止することができる。これにより開封済みの包装容器が一見未開封のように見えることがある。切断板に触れれば切断板が連接していた正面板等から切断されているため開封済みであることが分かるが、見ただけでは未開封と区別できないことがある。本発明の不正開封防止包装容器は開封したことが包装容器に触れなくても容易に分かる包装容器である。これにより内容物の医薬品等の抜き取り、すり替えを防止することができる。
本発明で用いられる不正開封防止機構は、第２予定破断線およびズレ検出用画像である。これらの不正開封防止機構を併用しても良いし、どちらか一方のみを用いても良い。
第２予定破断線とは開封動作により第１予定破断線が破断される時に同時に破断される機構である。第１予定破断線および第２予定破断線の同時の破断により切断板の一部が破壊され除去される、あるいは破壊され変形することにより開封後に切断板を外見上開封前と同じ状態に戻すことが不可能になるため、開封の痕跡を明瞭に残すことができる。第２予定破断線の破断の機構は第１予定破断線と同じものを用いることができる。第２予定破断線は第１予定破断線の近傍に設けられる。近傍に設けられるとは第１予定破断線を破断する動作で同時に第２予定破断線が破断する位置にあることを示す。【００１０】  第１予定破断線、第２予定破断線を開封時に同時に確実に破断するめに、第１予定破断線に隣接して開封時に指が入る開口部が設けられていることが好ましい。開口部を設けることにより開封動作が容易になるだけでなく、両予定破断線により大きな力が掛かるため、切断板の一部の破断除去、変形がより起きやすくなり好ましい。開口部の形状に制限は無いが大人の指が入る大きさ形状が必要である。第１予定破断線に接して切断板が連接している正面板、左右側面板あるいは上面板の一部が打ち抜かれ、除去されることで開口部が形成される。開口部の高さは３〜２０ｍｍが好ましく、５〜１５ｍｍがより好ましく、７〜１２ｍｍがさらに好ましい。高さが小さ過ぎると指が入らず、大き過ぎると包装容器の強度が低下し破損しやくなるため好ましくない。開口部の幅は１０〜４０ｍｍが好ましく、１２〜３０ｍｍがより好ましく、１５〜２５ｍｍがさらに好ましい。幅が小さ過ぎると指が入らず、大き過ぎると包装容器の強度が低下し破損しやくなるため好ましくない。形状は円弧の一部であることが指の入れ易さ、包装容器の強度の観点で好ましい。また第２予定破断線を用いた場合に切断板の一部が破断除去されるが、破断除去の部分の面積が小さいため廃棄物の処理が容易であり好ましい。【００１１】  本発明の不正開封防止機構の一つであるズレ検出用画像は切断板と切断板が連接している正面板、上面板、あるいは左右の側面板との連接している境界をまたぎ連続して形成される画像である。板紙等を展開図の形状に打ち抜き、折りたたむ前に、板紙等にズレ検出用画像を印刷することが好ましいが、包装容器形成後に印刷することもできる。印刷する方法はオフセット印刷、グラビア印刷、凸版印刷、スクリーン印刷、インクジェット印刷、レーザー印刷、電子写真方式、捺印方式、転写方式等の通常の画像形成方法をいずれも好ましく用いることができる。
ズレ検出用画像は包装容器を開封した際に破断した切断板を、開封前に連接していた正面板等に押し込み開封前の状態に戻し未開封のように装う不正行為が行われた場合に、その不正行為を容易に見破るための不正開封防止機構である。開封により切断した切断板を連接していた正面板等に押し込んだ場合、破断面が粗面のため完全に元の状態にはならず境界面に破断板および正面板等との間の相対的な位置関係のズレが生じる。この相対的な位置関係のズレが小さい場合は見ただけでは容易にこのズレがあることに気が付かない。ズレ検出用画像を用いることでこの微小なズレの有無を容易に見ただけで判別できるため、包装容器に収納されていた医薬品等の商品を輸送中、保管中、展示中にすり替えられる、あるいは取り出されることを防止することができる。【００１２】  ズレ検出用画像は詳細な構造を有していて画像の一部が左右方向、上下方向にずれる、あるいは画像の一部が失われた場合にその画像の変化が容易に判別できる構造を持った画像である。ズレ検出用画像に線を用いる場合は、直線、円弧、楕円弧、放物線、曲線等を用いることができ、連続線、破線、鎖線、点線等の種類も様々なものを用いることができる。画像の大きさは特に制限はないが切断板の大きさの１．５倍から０．５倍が好ましい。小さすぎると肉眼で識別することが困難であり、大きすぎると包装容器の表示内容の記載面積が小さくなり好ましくない。詳細な構造とは１０ｍｍ以内に画像変化が５〜２０個あることを示す。この画像変化は７〜１８個がより好ましく、８〜１５個が最も好ましい。この画像変化が少なすぎると相対的な位置変化を見分けることが困難であり、多すぎると画像が細かくなり肉眼で構造を識別困難であり好ましくない。画像変化とは色彩、明暗、形状の変化、パターンの拡大縮小、変形等を示す。同一画像が繰り返される周期性パターンを有する画像がより好ましい。周期性とは上記の画像変化が同一画像の変化の繰り返しであることを示す。
ズレ検出用画像としてはバーコード（ＪＡＮ、ＣＯＤＥ３９、ＣＯＤＥ１２８、ＮＷ‐７、ＩＴＦ）、ＱＲコード、割印、周期的パターンを有する画像が好ましい。バーコード（ＪＡＮ、ＣＯＤＥ３９、ＣＯＤＥ１２８、ＮＷ‐７、ＩＴＦ）、ＱＲコードがより好ましい。これらのバーコード、ＱＲコードを用いれば目視だけでなく、コードリーダーを用いて開封の有無を判定できる。コードリーダーを用いれば多数の包装容器の開封の有無の検査を容易に行うことができ好ましい。【００１３】  図３の展開図を用いて本発明の不正開封防止包装容器の一つの実施形態である包装容器１の各部構成を説明する。展開図３は包装容器１の表側、すなわち包装容器１を組み立てた際に外側になる面を示している。正面板２に切断板８が連接しており、連接部の一部に第１予定破断線としてジッパー３２ａ，３２ｂが施されている。切断板８に差込片７が折り目ｆを介して接続している。折り目ｃ、ｄ，ｉ，ｍを介して下面フラップ１１ａ，１１ｂ、および下面板１２ａ，１２ｂを折込み、次いで折り目ａ，ｇ，ｊ、ｎを介して右側面板３、正面板２、左側面版５、背面板４、糊代側片１４を折込み、糊代側片１４には糊を塗布して右側面板３の右端の裏側に接着する。同時に糊代底片１３ａおよび１３ｂの表面に糊を塗布して、各々下面フラップ１１ａ，１１ｂの表面に接着する。下面板１２ａ，１２ｂを下方に押し下げることで立体的な箱を形成し、商品を収納した後に、上面フラップ１０ａ，１０ｂを折り目ｂ、ｈを介して折り込む。上面板６を折り目ｋを介して折込み、さらに上面板差込板９を折り目ｐ、ｑを介して折込み、上面板差込板９を正面板２の内側に差し込む。差込片７を折り目ｆを介して折込み、案内スリット２１に差込片７を差し込む。差込片７は封緘後に上面板６に平行に位置する。なお開口部３１は開封の際に指を引っ掛ける場所である。【００１４】  このようにして作成した包装容器１の封緘後で開封前の斜視図を図１に示した。本発明の包装容器１を開封する場合は、開口部３１に指を掛け押し込んで上面板差込板９を押し上げることで、上面板６を持ち上げ開封することができる。あるいは開口部３１に指を掛け切断板８を引き上げ、切断板８を上方に引っ張り上げることによっても開封することができる。いずれの開封方法によっても開封の際に第１予定破断線３２ａ，ｂが破断し、切断板８が正面板２から分離する。本発明の不正開封防止機構である第２予定破断線４１として破断ミシン目が切断板８に設けられている。開封時に第２予定破断線４１が第１予定破断線３２ａ，ｂと同時に破断し切断板の一部が除去あるいは変形されるため、開封の痕跡が明瞭になり不正開封を防止できる。本発明の包装容器１の開封後の斜視図を図２に示した。【００１５】  本発明の不正開封防止機構であるズレ検出用画像４２ａ，ｂを図１、図２および図４に示した。図１のように開封前にズレ検出用画像は正面板２および切断板８にまたがる形で、一連のあるいは同一の画像が存在するが、開封後には図２に示すように切断板８と正面板２が分離するため、画像も分離する。開封した後に切断板８を開封前にあった状態に戻す、すなわち正面板２に押し込むことにより、あたかも開封前の状態のように見えるが、切断面が毛羽たち粗面なため切断板８と正面板２の相対位置がずれる。この相対位置のずれが小さい場合は外見だけではずれを見つけることが困難であるが、ズレ検出用画像がある場合は画像のずれ、歪みとして認識され容易に一目で相対位置のずれを見つけることができ、開封済みである分かるようになる。なお、ズレ検出用画像は第１予定破断線３２ａ，ｂをまたぐ形で形成されることも好ましい。【００１６】  本発明の包装容器の一つの形態では差込片７が案内スリット２１に差し込まれることで封緘される。差込片７の最大横幅Ｌ３が案内スリット２１の最大横幅Ｌ４より大きいこと、および差込辺７の切断板８との接合部に切込み溝３３ａ，３３ｂがありこの切込み溝３３ａ，３３ｂの縁が案内スリット２１の端に引っかかることのため、差し込み後は差込片７を案内スリット２１から引き抜くことができず、無理に抜こうとすると第１予定破断線３２ａ，３２ｂが破断し、不正開封の痕跡が明瞭に残る。
切断板８が正面板２に連接している場合は、商品を包装容器１に挿入し封緘する際に、上面板６を下げて蓋をした後に、差込片７を差し込むため、差し込みのタイミングおよび差込み時に差込片７に加える力の大きさの調節が容易なため製造時の不良品の発生を防止できる。また、上面板６を押し上げてできた隙間から包装容器１に収納された商品を引き出す、入れ替えようとしても、差込片７が上面板６に平行に位置するため、押し上げることができず商品の不正な入れ替え、取り出しを防止できる。このため、切断板８が正面板２に連接している方が、切断板８が上面板６に連接している場合よりも収納された内容物の不正な取り出し、入れ替え防止の効果が大きく好ましい。【００１７】  差込片７の最大横幅とは差込片７の折り目ｆに平行な方向の長さの内で最も長い幅の値を示す。案内スリット２１の最大横幅とは折り目ｐ，ｑに平行な方向の長さで案内スリット２１の内側の最大の長さの部分の値を示す。差込片の最大横幅Ｌ３と案内スリットの最大横幅Ｌ４の差Ｌ３−Ｌ４は０．５ｍｍ〜５ｍｍが好ましく、１〜４ｍｍがさらに好ましく、１．５〜３ｍｍが最も好ましい。Ｌ３−Ｌ４の値が小さいと差込片７が案内スリット２１から容易に抜けてしまい封緘できない、もしくは封緘の強度が不足して好ましくない。一方、Ｌ３−Ｌ４の値が大きすぎると差込片７を案内スリット２１に差し込むことができない、あるいは差込時に案内スリット２１あるいは差込片７が損傷し好ましくない。
差込片７の縦幅Ｌ１は３〜２０ｍｍが好ましく、４〜１５ｍｍがより好ましく、６〜１１ｍｍが最も好ましい。差込片７の縦幅Ｌ１とは、一辺の長さがＬ３であって面積が差込片７の面積と同じ大きさの長方形において、Ｌ３の長さの辺と直交する辺の長さをＬ１とする。差込片７の縦幅Ｌ１が短すぎる場合は差込片７を案内スリット２１に差し込んだ場合の差込片７の剛性が小さくなり上面板６との結合の強度が小さくなり、容易に差込片７が案内スリット２１から脱落し開封してしまうため好ましくない。一方差込片７の縦幅Ｌ１が長すぎる場合は差込片７の剛性が強くなり過ぎ、差込片７を案内スリット２１に差し込む際に差込片７がたわみにくくなり案内スリット２１あるいは差込片７が損傷を受けるため好ましくない。
切断板８の縦幅Ｌ２とは図３の展開図上の縦方向で、切断板８の最長の部分の長さを切断板８の縦幅Ｌ２とする。Ｌ２−Ｌ１は１ｍｍ〜５ｍｍが好ましく、１．５ｍｍ〜３ｍｍがより好ましく、１〜２ｍｍが最も好ましい。此の差がこれより小さいと差込片７を案内スリット２１にさし込むことが困難になり、また大きいと構造上の遊びが生じ差込片７が容易に動けるため案内スリット２１から抜けるため不正開封をし易くなるので好ましくない。【００１８】  本発明の包装容器に収容する商品としては、特に制限されるものではないが例えば医薬品、化粧品、食品などが挙げられる。本発明の包装容器は特に不正開封の実害が深刻なものとなっている医薬品の包装容器に適している。
【発明の効果】
【００１９】  封緘テープ等を貼付するためのコストの増加を要せず、封緘テープを剥がす手間が不要で高齢者にとっても容易に開封可能で、開封が容易なため緊急時の対応にも差し障りがなく、開封方法が単純で勘違いの余地がなく、廃棄物の廃棄が面倒でなく、かつ開封の痕跡が明瞭に残り不正開封を見逃すことがない包装容器を提供することができた。包装容器に収容された商品が輸送中、展示中に抜き取られたり、すり替えられたりすることを防止し、もし不正に開封されたとき直ちにそれを判別できる不正開封の防止機構を有する包装容器を提供することができた。
【図面の簡単な説明】
【００２０】
【図１】実施例１に係る包装容器の開封前の斜視図である。
【図２】図１の包装容器の開封後の斜視図である。
【図３】図１の包装容器の展開図である。
【図４】図１の包装容器の差込片の説明図である。
【図５】図１の包装容器の案内スリットの説明図である。
【発明を実施するための形態】
【００２１】  以下、実施例により詳細に説明する。
【実施例１】
【００２２】＜本発明の包装容器サンプルＡ−１の作成＞
図３の展開図を用いて本発明の包装容器サンプルＡ−１の作成を説明する。坪量３００ｇ／ｍ２の表面が白色の板紙コートボールの白色面側に不正開封防止機構であるズレ検出用画像４２ａ，４２ｂをオフセット印刷で印刷した。ズレ検出用画像は図３の折り目ｆに平行に切断板８および正面板２に境界をまたぎ切断板８の中心線を中央として全長６５ｍｍの周期的直線画像を設けた。また切断板の端から左右各々１０ｍｍ正面板に連続して周期的直線画像が設けられた。周期的直線画像は補色関係にある赤、緑の幅１ｍｍの線を各５本交互に並べた画像である。この印刷された板紙を図３の展開図に従って打抜いた。図３に表示されている面を表側（包装容器の外側）にした。正面板２は横１２９ｍｍ、縦５９ｍｍ、上面板６は横１２９ｍｍ、縦５４．５ｍｍであり、背面板４は横１２９ｍｍ、縦５９．５ｍｍ、左側面板５は横５５ｍｍ、縦５９ｍｍ、右側面版３は横５４ｍｍ、縦５９ｍｍ、切断板８は横４５ｍｍ、縦１５ｍｍであった。差込片７の最大横幅Ｌ３は４５ｍｍ、案内スリット２１の最大横幅Ｌ４は４３ｍｍで、Ｌ３−Ｌ４は２ｍｍであった。差込片７の縦幅Ｌ１が１３ｍｍであり、切断板８の縦幅Ｌ２が１５ｍｍであった。なお包装容器を組み立てた際に、差込片７の最大横幅の中心と案内スリット２１の最大横幅の中心が一致するように配置した。また不正開封防止機構である第２予定破断線４１を切断板８に円弧の一部の形状の破断用のミシン目を用いて形成した。【００２３】  折り目ｃ、ｄ，ｉ，ｍを介して下面フラップ１１ａ，１１ｂ、および下面板１２ａ，１２ｂを折込み、次いで折り目ａ，ｇ，ｊ、ｎを介して右側面板３、正面板２、左側面版５、背面板４、糊代側片１４を折込み、糊代側片１４の表面に糊を塗布して右側面板３の右端の裏面に接着した。同時に糊代底片１３ａおよび１３ｂの裏面に糊を塗布して、各々下面フラップ１１ａ，１１ｂの表面に接着した。下面板１２ａ，１２ｂを包装容器の内側から下方に押し下げることで立体的な箱を形成し、商品を収納した後に、上面フラップ１０ａ，１０ｂを折り目ｂ、ｈを介して折り込んだ。上面板６を折り目ｋを介して折込み、さらに上面板差込板９を折り目ｐ、ｑを介して折込んだ。上面板差込板９を正面板２の内側に差し込み、差込片７を折り目ｆを介して折込み、案内スリット２１に差込片７を差し込んだ。このようにして図１の斜視図に示したような封緘された開封前の包装容器サンプルＡ−１を作成した。
【実施例２】
【００２４】＜本発明の包装容器サンプルＡ−２の作成＞
ズレ検出用画像４２ａ，４２ｂを設けなかった以外は実施例１の本発明のサンプルＡ−１と同様にして、本発明の包装容器サンプルＡ−２を作成した。
【実施例３】
【００２５】＜本発明の包装容器サンプルＡ−３の作成＞
第２予定破断線４１を設けなかった以外は実施例１の本発明のサンプルＡ−１と同様にして、本発明の包装容器サンプルＡ−３を作成した。
【実施例４】
【００２６】＜本発明の包装容器サンプルＡ−４の作成＞
ズレ検出用画像４２ａ，４２ｂとして数字１２桁を表し、横３２ｍｍ、縦１０ｍｍのバーコードを切断板８の中心線にバーコードの左端を置き、折り目線ｆの下２ｍｍの位置に折り目線ｆに平行にバーコードの上端を置き、切断板８と正面板２の境界をまたぎ連続してバーコード画像を設け、第２予定破断線４１を設けなかった以外は実施例１の包装容器サンプルＡ−１と同様にして、本発明の包装容器サンプルＡ−４を作成した。
【比較例１】
【００２７】＜比較例の包装容器サンプルＣの作成＞
第２予定破断線４１およびズレ検出用画像４２ａ，４２ｂを設けなかった以外は実施例１の本発明のサンプルＡ−１と同様にして比較例の包装容器サンプルＣを作成した。
【実施例５】
【００２８】  本発明の包装容器サンプルＡ−１，Ａ−２、Ａ−３、Ａ−４および比較例の包装容器サンプルＣを各々２０個作成し、内各１０個を開封した後に、破断分離した切断板を開封前と同じになるように正面板に押し込んだ。これらの未開封を装った包装容器サンプル各１０個および未開封の包装容器サンプルを各１０個用の各計２０個のサンプルをランダムに展示し、５ｍ離れた場所から５人に見てもらい開封済みの有無の判別の実験をした。開封済みか否かの判別の正答率は本発明の包装容器サンプルＡ−１で１００％、Ａ−２で１００％、Ａ−３で９６％、Ａ−４で１００％、比較例の包装容器サンプルＣで５０％であった。本発明のサンプルＡ−１，２，３，４ともに、比較例サンプルＣに比べ開封済みか否かの判別の正答率が高く、開封済みの痕跡が明瞭であり好ましかった。
また、本発明のサンプルＡ−４の開封後に切断板を正面板に押し込む未開封を装ったサンプル各１０個と、開封前のサンプル各１０個のバーコードをバーコードリーダーで読み取った。開封前はバーコードを正常に読み取れたが、開封後に未開封を装ったサンプルのバーコードは読み取り異常で読み取れなかった。開封済みか否かの判別の正答率は１００％であった。
バーコードをズレ検出用画像として用いたサンプルＡ−４は、第２予定破断線を用いたサンプルＡ−１，３と並び、正答率が１００％で極めて好ましかった。本発明の不正開封防止機構としてズレ検出用画像のみを用いた包装容器サンプルＡ−３，Ａ−４は第２予定破断線を用いた包装容器サンプルＡ−１，Ａ−２に比べ全く廃棄物が１個しか生ぜずこの点でより好ましかった。
【産業上の利用可能性】
【００２９】  容易に確実な封緘ができ、開封が容易で、不正開封を防止できる包装容器に利用できる。
【符号の説明】
【００３０】１      包装容器
２      正面板
３      右側面板
４      背面板
５      左側面板
６      上面板
７      差込片
８      切断板
９      上面板差込板
１０ａ，ｂ    上面フラップ
１１ａ，ｂ    下面フラップ
１２ａ，ｂ    下面板
１３ａ，ｂ    糊代底片
１４          糊代側片
２１          案内スリット
２２          案内係止片
３１          開口部
３２ａ，ｂ    第１予定破断線
３３ａ，ｂ    切込み溝
４１          第２予定破断線
４２ａ，ｂ，ｃ，ｄ    ズレ検出用画像
ａ，ｂ，ｃ，ｄ，ｅ，ｆ，ｇ，ｈ，ｉ，ｊ，ｋ，ｌ，ｍ，ｎ、ｐ，ｑ    折り目
Ｌ１          差込片７の縦幅
Ｌ２          切断板８の縦幅
Ｌ３          差込片７の最大横幅
Ｌ４          案内スリット２１の最大横幅
【図１】
2016101979.tif 000003
【図２】
2016101979.tif 000004
【図３】
2016101979.tif 000005
【図４】
2016101979.tif 000006
【図５】
2016101979.tif 000007